(57)【要約】      （修正有）【課題】固定部材でランプスタンドを安定させ、ランプスタンドがランプの重さによって回動してしまうことがなく、かつサイドテーブルを結合して、使用者が便利により多くの物品を置くことができる、多機能三角ハンガーラックを提供する。【解決手段】多機能三角ハンガーラックは、本体と、ランプスタンド３と、固定部材４を含み、該本体が、横棒１と、４本の脚棒２を組み立てて成り、該横棒の両端に脚棒を取り付けるための所定の角度を呈する２つの貫通孔が形成され、該ランプスタンドの外側に該固定部材を被着した後、該固定部材が該脚棒に被着され、該固定部材に該横棒を嵌置させ、該ランプスタンドが吊り下げたランプの重量により回動しないようにすることができる。該横棒上にさらに複数のフックを設置して、各フックの上フック部と下フック部の方向を互いに垂直にして、吊り下げ空間を最大化することができる。【選択図】図１
0003232924.tif 000002
【実用新案登録請求の範囲】
【請求項１】
多機能三角ハンガーラックであって、本体と、ランプスタンドと、固定部材と、を含み、
前記本体が、横棒と、４本の脚棒を含み、前記横棒の両端に２つの貫通孔がそれぞれ設けられ、各貫通孔の延伸方向が前記横棒の延伸方向に垂直であり、かつ前記横棒の一端の２つの貫通孔の延伸方向の間に所定の角度が形成され、前記横棒の他端の２つの貫通孔の延伸方向の間にも所定の角度が形成され、各前記脚棒が支持部と、組み立て部をそれぞれ備え、前記組み立て部が前記支持部の上端に結合され、各前記組み立て部の寸法が各前記貫通孔の寸法に対応しており、かつ各前記組み立て部の寸法が各前記支持部の寸法より小さく、各前記脚棒が各前記組み立て部で下から上に各前記貫通孔に挿通され、各前記支持部が前記横棒の下方に配置され、かつ各前記支持部により前記横棒が支持され、各前記組み立て部の長さが各前記貫通孔の長さより大きく、各前記組み立て部の一部長さが各前記貫通孔の上方に突出され、
前記ランプスタンドが、組み立て端と、吊り下げ端を備え、前記吊り下げ端の高さが前記組み立て端の高さより高く、前記組み立て端の寸法が各前記組み立て部の寸法に対応し、前記ランプスタンドが前記組み立て端で各前記組み立て部のうちの１つの各前記貫通孔から突出した部分に被着され、
前記固定部材が、取付孔と、嵌合溝を含み、前記取付孔の延伸方向が前記固定部材の延伸方向と同じであり、前記取付孔の寸法が前記組み立て端の寸法に対応し、前記嵌合溝が前記固定部材の下端に位置し、前記嵌合溝の寸法が前記横棒の寸法に対応し、前記固定部材が前記取付孔で該組み立て端の外側に被着され、かつ前記嵌合溝が前記横棒の外側に被着される、ことを特徴とする、多機能三角ハンガーラック。
【請求項２】
前記ランプスタンドの吊り下げ端に複数のフック溝が形成された、ことを特徴とする、請求項１に記載の多機能三角ハンガーラック。
【請求項３】
前記横棒がさらに複数のフックを備え、各前記フックが上フック部と下フック部を備え、各前記フックが各前記上フック部で前記横棒に掛着され、かつ各前記上フック部の向きが各前記下フック部の向きに垂直である、ことを特徴とする、請求項１に記載の多機能三角ハンガーラック。
【請求項４】
各前記支持部の下端が錐体である、ことを特徴とする、請求項１に記載の多機能三角ハンガーラック。
【請求項５】
さらに前記本体の一端に取り外し可能にサイドテーブルが設置され、前記該サイドテーブルが天板と、支持脚を含み、前記天板の一側に第１凹陥溝と、第２凹陥溝が設けられ、前記天板が前記第１凹陥溝と前記第２凹陥溝で前記前記本体の一端の各前記脚棒に取り外し可能に嵌合され、前記支持脚が前記天板の前記第１凹陥溝及び前記第２凹陥溝と反対側の一側の底面に結合される、ことを特徴とする、請求項１に記載の多機能三角ハンガーラック。
【請求項６】
前記天板がさらに少なくとも１つの開孔を備え、前記開孔にフレームが設置される、ことを特徴とする、請求項５に記載の多機能三角ハンガーラック。
【請求項７】
前記第１凹陥溝の長さが前記第２凹陥溝の長さより長い、ことを特徴とする、請求項５に記載の多機能三角ハンガーラック。
【考案の詳細な説明】
【技術分野】
【０００１】
本考案はハンガーラックに関し、特に、ランプスタンドを安定的に取り付けることができ、かつサイドテーブルを結合することができる、多機能三角ハンガーラックに関する。
【背景技術】
【０００２】
近年、キャンプが人気を博しており、ストレス解消や自然環境に親しむために、家族を連れて行くという選択をする人も少なくない。多くのキャンプ場は、様々な用具を自分で持参する必要があるため、多くのメーカーが便利に分解できるハンガーラックを発売しており、消費者がキャンプ場に運んでから組み立てて使用できるようにすることで、持参するキャンプ用品がかさばらないようにしている。ハンガーラックの中には、ランプスタンドを連結して、夜間に照明を提供し、キャンプの雰囲気を盛り上げることができるものもあるが、分解したハンガーラックは、製造の都合上、ほとんどが円筒形であり、ランプスタンドをハンガーラックに連結した後、ランプの重さのために回動してしまい、固定が難しく、消費者にとって不便である。また、一般的なハンガーラックは、コップや食器などの物品を水平に置くことができないため、使用者は物品を置くために別途折りたたみ式テーブルを持参しなければならず、不便である。
【考案の概要】
【考案が解決しようとする課題】
【０００３】
本考案の主な目的は、固定部材でランプスタンドを安定させ、ランプスタンドがランプの重さによって回動してしまうことがなく、かつサイドテーブルを結合して、使用者が便利により多くの物品を置くことができる、多機能三角ハンガーラックを提供することにある。
【課題を解決するための手段】
【０００４】
以下この考案について説明する。
請求項１に記載する多機能三角ハンガーラックは、本体と、ランプスタンドと、固定部材と、を含み、
前記本体が、横棒と、４本の脚棒を含み、前記横棒の両端に２つの貫通孔がそれぞれ設けられ、各貫通孔の延伸方向が前記横棒の延伸方向に垂直であり、かつ前記横棒の一端の２つの貫通孔の延伸方向の間に所定の角度が形成され、前記横棒の他端の２つの貫通孔の延伸方向の間にも所定の角度が形成され、各前記脚棒が支持部と、組み立て部をそれぞれ備え、前記組み立て部が前記支持部の上端に結合され、各前記組み立て部の寸法が各前記貫通孔の寸法に対応しており、かつ各前記組み立て部の寸法が各前記支持部の寸法より小さく、各前記脚棒が各前記組み立て部で下から上に各前記貫通孔に挿通され、各前記支持部が前記横棒の下方に配置され、かつ各前記支持部により前記横棒が支持され、各前記組み立て部の長さが各前記貫通孔の長さより大きく、各前記組み立て部の一部長さが各前記貫通孔の上方に突出され、
前記ランプスタンドが、組み立て端と、吊り下げ端を備え、前記吊り下げ端の高さが前記組み立て端の高さより高く、前記組み立て端の寸法が各前記組み立て部の寸法に対応し、前記ランプスタンドが前記組み立て端で各前記組み立て部のうちの１つの各前記貫通孔から突出した部分に被着され、
前記固定部材が、取付孔と、嵌合溝を含み、前記取付孔の延伸方向が前記固定部材の延伸方向と同じであり、前記取付孔の寸法が前記組み立て端の寸法に対応し、前記嵌合溝が前記固定部材の下端に位置し、前記嵌合溝の寸法が前記横棒の寸法に対応し、前記固定部材が前記取付孔で該組み立て端の外側に被着され、かつ前記嵌合溝が前記横棒の外側に被着される。
【０００５】
請求項２に記載する多機能三角ハンガーラックは、請求項１におけるランプスタンドの吊り下げ端に複数のフック溝が形成されたことを特徴とする。
【０００６】
請求項３に記載する多機能三角ハンガーラックは、請求項１における横棒がさらに複数のフックを備え、各前記フックが上フック部と下フック部を備え、各前記フックが各前記上フック部で前記横棒に掛着され、かつ各前記上フック部の向きが各前記下フック部の向きに垂直である。
【０００７】
請求項４に記載する多機能三角ハンガーラックは、請求項１における各支持部の下端が錐体である。
【０００８】
請求項５に記載する多機能三角ハンガーラックは、請求項１における本体の一端に取り外し可能にサイドテーブルが設置され、前記該サイドテーブルが天板と、支持脚を含み、前記天板の一側に第１凹陥溝と、第２凹陥溝が設けられ、前記天板が前記第１凹陥溝と前記第２凹陥溝で前記前記本体の一端の各前記脚棒に取り外し可能に嵌合され、前記支持脚が前記天板の前記第１凹陥溝及び前記第２凹陥溝と反対側の一側の底面に結合される。
【０００９】
請求項６に記載する多機能三角ハンガーラックは、請求項５における天板がさらに少なくとも１つの開孔を備え、前記開孔にフレームが設置される。
【００１０】
請求項７に記載する多機能三角ハンガーラックは、請求項５における第１凹陥溝の長さが前記第２凹陥溝の長さより長い。
【考案の効果】
【００１１】
該固定部材の該嵌合溝に該横棒が嵌置されるため、該ランプスタンドがランプの重量を受けても回動せず、使用者は本体がランプスタンドの回動によって不安定になることを心配する必要がない。各支持部の下端は錐体とすることで、柔軟な地面に深く挿入し、より安定させることができる。
【００１２】
横棒上の複数のフックは、各上フック部の向きを各下フック部の向きに垂直とすることで、各下フック部に鍋を掛けたとき、鍋の方向を変えてより多くの物品を吊り下げることができる。
【００１３】
本体の一端の２本の脚棒は１本の脚棒が本体の外側寄りであり、もう１本の脚棒が本体の内側寄りであるため、サイドテーブルの第１凹陥溝の長さを第２凹陥溝の長さより長くすることで、第１凹陥溝に本体の一端のより内側寄りの脚棒を嵌置し、第２凹陥溝により外側寄りの脚棒を嵌置させることができる。
【００１４】
第１凹陥溝と第２凹陥溝の内縁は半円形とすることができ、これにより使用者を誤って傷つけたり、各脚棒に傷をつけたりすることがなく、各脚棒をしっかりと第１凹陥溝及び第２凹陥溝に保持することもできる。
【００１５】
サイドテーブルの天板に設けた少なくとも１つの開孔にフレームを取り付けて、ランプやその他物品を掛けるために用いることができる。支持脚は折り畳み方式で天板の底面に取り付けることができ、例えば、支持脚を天板と平行な位置に折り畳み、体積を小さくして携帯しやすくすることができる。
【００１６】
天板は第１凹陥溝及び第２凹陥溝の外側に開閉可能に少なくとも１つのバックルを設け、バックルで第１凹陥溝及び第２凹陥溝を開閉することができる。バックルはサイドテーブルを本体に取り付ける前に予め開いておき、サイドテーブルを本体に取り付けた後、バックルを再度閉じて、サイドテーブルが意図せず本体から離脱しないようにすることができる。
【図面の簡単な説明】
【００１７】
【図１】本考案の実施例１の多機能三角ハンガーラックの立体図である。
【図２】図１の多機能三角ハンガーラックの立体分解図である。
【図３】図１の多機能三角ハンガーラックの部分拡大断面図である。
【図４】本考案の実施例１の固定部材の立体図である。
【図５】本考案の実施例１の多機能三角ハンガーラックの使用状態を示す立体外観図である。
【図６】本考案の実施例１のフックの立体図である。
【図７】本考案の実施例２の多機能三角ハンガーラックの立体図である。
【図８】図７の多機能三角ハンガーラックの部分拡大側面図である。
【図９】本考案の実施例２のサイドテーブル部分の立体図である。
【図１０】図９のサイドテーブル部分の立体分解図である。
【考案を実施するための形態】
【実施例１】
【００１８】
図１から図６に、本考案の実施形態を示して説明する。本考案の多機能三角ハンガーラックの実施例１は、本体と、ランプスタンド３と、固定部材４を含み、該本体が、横棒１と、４本の脚棒２を含み、該横棒１の両端に２つの貫通孔１０がそれぞれ設けられ、各貫通孔１０の延伸方向は横棒１の延伸方向に垂直であり、かつ該横棒１の一端の２つの貫通孔１０の延伸方向の間に所定の角度が形成され、該横棒１の他端の２つの貫通孔１０の延伸方向の間にも所定の角度が形成され、各脚棒２が支持部２０と、組み立て部２１をそれぞれ備え、該組み立て部２１が該支持部２０の上端に結合され、各組み立て部２１の寸法が各貫通孔１０の寸法に対応しており、かつ各組み立て部２１の寸法が各支持部２０の寸法より小さく、各脚棒２が各組み立て部２１で下から上に各貫通孔１０に挿通され、各支持部２０が横棒１の下方に配置され、各支持部２０により該横棒１を支持し、各組み立て部２１の長さが各貫通孔１０の長さより大きく、各組み立て部２１の一部長さが各貫通孔１０の上方に突出され、各支持部２０の下端は、柔軟な地面に深く挿入し、より安定させることができるように、錐体（図示しない）としてもよい。
【００１９】
該ランプスタンド３は、組み立て端３０と、吊り下げ端３１を備え、該吊り下げ端３１の高さが該組み立て端３０の高さより高く、該組み立て端３０の寸法が各組み立て部２１の寸法に対応し、該ランプスタンド３が該組み立て端３０で各組み立て部２１のうちの１つの各貫通孔１０から突出した部分に被着され、本実施例において、該吊り下げ端３１と該組み立て端３０がそれぞれ管材であり、該吊り下げ端３１と該組み立て端３０を同一構造の両端とすることができ、本実施例１において、該吊り下げ端３１が該組み立て部２１の調整孔３０１に挿通され、かつ調整部３２を備え、該調整部３２を用いてねじを回し、該吊り下げ端３１を締めたり緩めたりして、使用者は該吊り下げ端３１と該組み立て端３０の相対位置を調整することができ、該吊り下げ端３１の該調整部３２と反対側の一端に吊り下げ孔３１０が設けられ、該吊り下げ孔３１０にフック片３１１が掛着され、フック片３１１が複数のフック溝３１２を備えている。
【００２０】
該固定部材４が、取付孔４０と、嵌合溝４１を含み、該取付孔４０の延伸方向が該固定部材４の延伸方向と同じであり、該取付孔４０の寸法が該組み立て端３０の寸法に対応し、該嵌合溝４１が該固定部材４の下端に位置し、該嵌合溝４１の寸法が該横棒１の寸法に対応し、本実施例において、該横棒１は丸棒であり、該嵌合溝４の深さと幅が該横棒１の外径にそれぞれ対応し、該固定部材４が該取付孔４０で該組み立て端３０の外側に被着され、かつ該嵌合溝４１が該横棒１の外側に被着され、該嵌合溝４１の各嵌合溝壁４１１が該横棒１の相対する両側にそれぞれ位置する。
【００２１】
図３に示すように、本実施例１の各部材を組み立てた態様は、２本の脚棒２の間に所定の角度があり、これは横棒１の一端の２つの貫通孔１０の延伸方向の間に所定の角度があることに由来している。また、横棒１が各支持部２０により支持されており、各組み立て部２１の一部長さが各貫通孔１０の上方に突出していることも見て取れる。固定部材４を組み立て端３０の外側に被着した後、組み立て端３０をさらにそのうち１つの組み立て部２１の貫通孔１０から突出した部分に取り付ける。このとき、固定部材４の嵌合溝４１が横棒１の外側に嵌着され、嵌合溝４１の各嵌合溝壁４１１が横棒１を挟持し、組み立て端３０を旋回不能にしてランプスタンド３が隨意に旋回しないようにする。
【００２２】
図４に示すように、本実施例１の固定部材４はリベット孔４２を備え、リベット孔４２の延伸方向は取付孔４０に垂直とすることができ、組み立て端３０もリベット孔（図示しない）を備え、固定部材４を組み立て端３０に被着した後、リベットを用いて固定部材４を固定することができる。
【００２３】
図５と図６に示すように、本実施例１は固定部材４を横棒１に嵌着することで、ランプスタンド３にランプＢを掛けてもランプＢの重量の影響を受けてランプスタンド３が旋回することがなく、ランプＢを使用者の好みの角度と位置に固定でき、使用者は本考案がランプスタンド３の回動によって不安定になることに注意を払う必要がなく、またランプスタンド３がずれて本実施例１が傾き倒れてしまう可能性もない。本実施例１のフック片３１１は複数のフック溝３１２を備え、キャンプファイアの炎を模した輪郭としており、使用者はランプを掛ける位置を変えたり、同時に複数の小型ランプを掛けたりすることができ、炎を模した輪郭もキャンプに雰囲気を添えることができる。
【００２４】
図５に示すように、横棒１にはさらに複数のフック５が設置され、各フック５は図６に示すように上フック部５０と下フック部５１を備えている。各フック５は各上フック部５０で横棒１上に掛けられ、かつ各上フック部５０の向きは各下フック部５１の向きに垂直にすることができ、つまり、各上フック部５０の向きと各下フック部５１の向きの間は９０度を呈するようにすることができ、鍋Ａを各下フック部５１に掛けたとき、鍋Ａが横棒１の延伸方向に占める長さをより短くして、横棒１上により多くの鍋Ａを掛けられるようにすることができる。従来のフックのように各上フック部５０の向きが各下フック部５１の向きと平行な場合、鍋Ａが横棒１の延伸方向でより多くの長さを占めてしまい、横棒１に掛けられる鍋Ａの数が少なくなる。
【実施例２】
【００２５】
図７から図１０に示すように、本考案の実施例２は、さらに本体の一端に取り外し可能にサイドテーブル６を設置することができ、サイドテーブル６は、天板６０と、支持脚６３を含み、天板６０の一側に第１凹陥溝６１と、第２凹陥溝６２が設けられ、天板６０が第１凹陥溝６１と第２凹陥溝６２で本体の一端の各脚棒２に取り外し可能に嵌合され、支持脚６３が天板６０の第１凹陥溝６１及び第２凹陥溝６２と反対側の一側の底面に結合される。第１凹陥溝６１と第２凹陥溝６２の間の距離は、支持脚６３の高さと各脚棒２の間の所定の角度に合わせて設計し、サイドテーブル６を本体に取り付けたとき、天板６０が水平に近くなるようにすることができる。
【００２６】
天板６０はさらに少なくとも１つの開孔６４を有することができ、開孔６４は天板６０を貫通させてもよく、開孔６４は図７に示すように、フレーム６５を取り付けてランプ（図示しない）やその他物品を掛けるために用いることができる。
【００２７】
本体の一端の２本の脚棒２は１本の脚棒２が本体の外側寄りであり、もう１本の脚棒２が本体の内側寄りであるため、サイドテーブル６の第１凹陥溝６１の長さを第２凹陥溝６２の長さより長くし、第１凹陥溝６１に本体の一端のより内側寄りの脚棒２を嵌置し、第２凹陥溝６２により外側寄りの脚棒２を嵌置させることができる。
【００２８】
第１凹陥溝６１と第２凹陥溝６２の内縁は、図８に示すように、半円形とすることができ、これにより使用者を誤って傷つけたり、各脚棒２に傷をつけたりすることがなく、各脚棒２をしっかりと第１凹陥溝６１及び第２凹陥溝６２に保持することもできる。天板６０の辺縁も半円形とすることができる。
【００２９】
本実施例２は、サイドテーブル６を簡単に本体に取り付けたり、取り外したりすることができ、使用者はキャンプで物品をより便利に置くことができるため、物品を地面やキャンプ場から遠い場所に置く必要がなくなる。
【００３０】
支持脚６３は折り畳み方式で天板６０の底面に取り付けることができ、例えば、支持脚６３を天板６０と平行な位置に折り畳み、サイドテーブル６の体積を小さくして携帯しやすくすることができる。
【００３１】
天板６０は第１凹陥溝６１及び第２凹陥溝６２の外側に開閉可能に少なくとも１つのバックル(図示しない)を設け、バックル(図示しない)で第１凹陥溝６１及び第２凹陥溝６２を開閉することができる。バックル(図示しない)はサイドテーブル６を本体に取り付ける前に予め開いておき、サイドテーブル６を本体に取り付けた後、バックル(図示しない)を再度閉じて、サイドテーブル６が意図せず本体から離脱しないようにすることができる。
【符号の説明】
【００３２】
１        横棒
１０        貫通孔
２        脚棒
２０        支持部
２１        組み立て部
３        ランプスタンド
３０        組み立て端
３０１        調整孔
３１        吊り下げ端
３１０        吊り下げ孔
３１１        フック片
３１２        フック溝
３２        調整部
４        固定部材
４０        取付孔
４１        嵌合溝
４１１        嵌合溝壁
４２        リベット孔
５        フック
５０        上フック部
５１        下フック部
６        サイドテーブル
６０        天板
６１        第１凹陥溝
６２        第２凹陥溝
６３        支持脚
６４        開孔
６５        フレーム
Ａ        鍋
Ｂ        ランプ
【図１】
0003232924.tif 000003
【図２】
0003232924.tif 000004
【図３】
0003232924.tif 000005
【図４】
0003232924.tif 000006
【図５】
0003232924.tif 000007
【図６】
0003232924.tif 000008
【図７】
0003232924.tif 000009
【図８】
0003232924.tif 000010
【図９】
0003232924.tif 000011
【図１０】
0003232924.tif 000012